(57)【要約】【課題】入力画像を処理をする際の動作条件を規定するための各種設定項目の設定値を簡単に設定することができる周辺装置を提供すること。【解決手段】本発明の周辺装置１は、各種設定項目の設定値に対応させて動作条件を複数記憶する。記憶された動作条件に基づいて画像処理を行う場合、周辺装置１は、記憶された複数の動作条件を、その設定項目及び設定値とともに同時に表示する。【選択図】図１３
2008252523.tif 000002
【特許請求の範囲】
【請求項１】
表示画面に表示された動作条件に基づいて入力画像を処理する周辺装置において、
前記動作条件を規定するための各種設定項目の設定値を設定する設定手段と、
前記設定手段により設定された各種設定項目の設定値に対応させて前記動作条件を複数記憶する動作条件記憶手段と、
前記動作条件記憶手段に記憶された複数の動作条件を、各動作条件に対応する各種設定項目及び設定値とともに前記表示画面に配列して表示させる表示制御手段とを備えることを特徴とする周辺装置。
【請求項２】
前記動作条件記憶手段により記憶された複数の動作条件の中から、所定の設定項目の設定値を含む動作条件を検索する検索手段を備え、
前記表示制御手段は、前記検索手段によって検索された動作条件のみを前記表示画面に表示させることを特徴とする請求項１に記載の周辺装置。
【請求項３】
前記検索手段によって検索される所定の設定項目の設定値は自動的に設定されることを特徴とする請求項２に記載の周辺装置。
【請求項４】
前記表示画面により表示された設定項目の設定値を比較する比較手段を備え、
前記表示制御手段は、前記比較手段により比較された設定値が異なる場合の設定項目を、前記比較手段により比較された設定値が一致する場合の設定項目よりも先に前記表示画面に表示させることを特徴とする請求項１〜３のいずれかに記載の周辺装置。
【請求項５】
前記表示制御手段は、前記比較手段により比較された設定項目の設定値が一致する場合に、その設定項目を前記表示画面に表示させないことを特徴とする請求項４に記載の周辺装置。
【請求項６】
前記設定値は、前記入力画像の種類を含むことを特徴とする請求項１〜５のいずれかに記載の周辺装置。
【請求項７】
前記表示制御手段により前記表示画面に表示された複数の動作条件のうちいずれかの動作条件を選択する動作条件選択手段と、
前記動作条件選択手段により選択された動作条件に基づいて前記入力画像を処理した処理結果を表示する結果表示手段とを備えることを特徴とする請求項１〜６のいずれかに記載の周辺装置。
【発明の詳細な説明】
【技術分野】
【０００１】
本発明は、コピー、ファクシミリ、プリンタ、およびスキャナ機能を一体に備える周辺装置において、特に、入力画像を処理する際の動作条件を規定した各種設定項目の設定値を簡単に設定することができる周辺装置に関する。
【背景技術】
【０００２】
従来、コピー、ファクシミリ、プリンタ、およびスキャナ機能を一体に備える周辺装置は、入力画像を処理するための動作条件を規定する設定項目（用紙サイズ、ブライトネス、コントラスト、拡大縮小率等）を有している。ユーザーは、このような各種設定項目の設定値を適当に変更することで、所望の動作条件で入力画像を処理することができる。
【０００３】
例えば、ユーザーが過去に設定した設定値を含む動作条件を記憶しておき、記憶された動作条件にて画像を処理することができる画像処理装置が提案されている（特許文献１）。特許文献１の画像処理装置では、動作条件を記憶する場合、ユーザーの設定した設定値に合わせて動作条件の名称を「山田太郎Ａ４基本」等としていた。従って、複数の動作条件を比較する場合、ユーザーは各動作条件の名称を見比べて最適な動作条件を選択していた。このような画像処理装置によれば、過去に設定した名称によって動作条件の設定値が得られるため、ユーザーは、設定値を再度設定する必要がなく、同じ動作条件で何度でも画像処理を行うことができる。
【特許文献１】特開２００４−２６６４０８号公報
【発明の開示】
【発明が解決しようとする課題】
【０００４】
しかしながら、特許文献１の画像処理装置において、各動作条件の名称を見比べて最適な動作条件を選択する際に、各動作条件の名称は、設定された設定値の全てを一義的に反映しているわけではなく、動作条件の名称のみでその動作条件の設定値の全てを把握することは困難であるという問題があった。
【０００５】
従って、複数の動作条件の中から最適な動作条件を選択するには、動作条件の名称のみを比較するのではなく、各動作条件の各種設定項目の設定値を比較する必要があった。この際、特許文献１の画像処理装置では、動作条件の詳細な設定値を確認するために、ユーザーは詳細な設定値を確認したい動作条件を選択し、さらに、詳細な設定値を確認するためのボタンを押下しなければならず、操作が煩雑であるという問題があった。また、複数の動作条件の各種設定項目及び設定値を同時に表示させることができないので、ユーザーは各動作条件の設定値を記憶して比較しなければならず、最適な動作条件を選択するのに手間と時間を要するという問題があった。
【０００６】
また、近年、周辺装置のさらなる多機能化に伴い動作条件の設定項目数が増大する傾向にある。動作条件の設定項目数が多くなると、動作条件の名称のみをもとに最適な動作条件を選択することは、さらに手間と時間を要し、特に、表示できる表示領域が制限されている周辺装置の表示画面では、その点が増大するという問題があった。
【０００７】
本発明は上記の問題を鑑みてなされたものであり、周辺装置において入力画像を処理する際の動作条件を簡単に設定することができる周辺装置を提供することを目的とする。
【課題を解決するための手段】
【０００８】
この目的を達成するために、請求項１に記載の周辺装置は、表示画面に表示された動作条件に基づいて入力画像を処理する周辺装置において、前記動作条件を規定するための各種設定項目の設定値を設定する設定手段と、前記設定手段により設定された各種設定項目の設定値に対応させて前記動作条件を複数記憶する動作条件記憶手段と、前記動作条件記憶手段に記憶された複数の動作条件を、各動作条件に対応する各種設定項目及び設定値とともに前記表示画面に配列して表示させる表示制御手段とを備えることを特徴とする。
【０００９】
請求項２に記載の周辺装置は、請求項１に記載された周辺装置において、前記動作条件記憶手段により記憶された複数の動作条件の中から、所定の設定項目の設定値を含む動作条件を検索する検索手段を備え、前記表示制御手段は、前記検索手段によって検索された動作条件のみを前記表示画面に表示させることを特徴とする。
【００１０】
請求項３に記載の周辺装置は、請求項２に記載された周辺装置において、前記検索手段によって検索される所定の設定項目の設定値は自動的に設定されることを特徴とする。
【００１１】
請求項４に記載の周辺装置は、請求項１〜３のいずれかに記載された周辺装置において、前記表示画面により表示された設定項目の設定値を比較する比較手段を備え、前記表示制御手段は、前記比較手段により比較された設定値が異なる場合の設定項目を、前記比較手段により比較された設定値が一致する場合の設定項目よりも先に前記表示画面に表示させることを特徴とする。
【００１２】
請求項５に記載の周辺装置は、請求項４に記載された周辺装置において、前記表示制御手段は、前記比較手段により比較された設定項目の設定値が一致する場合に、その設定項目を前記表示画面に表示させないことを特徴とする。
【００１３】
請求項６に記載の周辺装置は、請求項１〜５のいずれかに記載された周辺装置において、前記設定値は、前記入力画像の種類を含むことを特徴とする。
【００１４】
請求項７に記載の周辺装置は、請求項１〜６のいずれかに記載された周辺装置において、前記表示制御手段により前記表示画面に表示された複数の動作条件のうちいずれかの動作条件を選択する動作条件選択手段と、前記動作条件選択手段により選択された動作条件に基づいて前記入力画像を処理した処理結果を表示する結果表示手段とを備えることを特徴とする。
【発明の効果】
【００１５】
請求項１に係る周辺装置によれば、表示制御手段は、動作条件記憶手段に記憶された複数の動作条件を、各動作条件に対応する各種設定項目及び設定値とともに表示画面に配列して表示させるので、各動作条件の設定値を容易に比較することができる。よって、複数の動作条件の中からユーザーの所望する動作条件を迅速に選ぶことができる。
【００１６】
請求項２に係る周辺装置によれば、請求項１に記載の周辺装置における効果に加えて、表示制御手段は、検索手段によって検索された動作条件のみを表示画面に表示させるので、ユーザーが動作条件を選ぶのに要する時間と手間をさらに省くことができる。また、表示できる領域が制限されている周辺装置の表示画面において、限られた表示領域を有効に使うことができる。
【００１７】
請求項３に係る周辺装置によれば、請求項２に記載の周辺装置における効果に加えて、検索手段によって検索される所定の設定項目の設定値は自動的に設定されるので、ユーザーが検索条件として設定値を入力する手間を省くことができる上に、設定値を正確に設定することができる。設定値を自動的に設定する方法の一つとして、例えば、記録用紙のサイズを検知するセンサを用いる方法が挙げられる。この記録用紙のサイズを検知するセンサでユーザーがセットした記録用紙のサイズを検知し、その検知された記録用紙サイズを検索条件として自動的に設定すれば、ユーザーが検索条件として設定値を設定せずとも、その検索結果を画面に表示させることができる。なお、自動的に設定される設定値は用紙サイズに限られない。例えば、原稿のサイズを検知するセンサをさらに有し、原稿サイズと記録用紙サイズを同時に検出して拡大縮小率を算出し、その拡大縮小率を検索条件として自動的に設定してもよい。
【００１８】
請求項４に係る周辺装置によれば、請求項１〜３のいずれかに記載の周辺装置における効果に加えて、表示制御手段は、比較手段により比較された設定値が異なる場合の設定項目を、比較手段により比較された設定値が一致する場合の設定項目よりも先に表示画面に表示させるので、ユーザーは設定値が異なる設定項目だけを優先的に比較することができる。ユーザーが動作条件を比較する際には、同じ設定値を持つ設定項目よりも異なる設定値を持つ設定項目に注目する場合が多いため、異なる設定項目を先に表示することで動作条件の設定項目の比較がしやすい。従って、ユーザーの所望する動作条件をより迅速に選ぶことができる。
【００１９】
請求項５に係る周辺装置によれば、請求項４に記載の周辺装置における効果に加えて、表示制御手段は、比較手段により比較された設定項目の設定値が一致する場合に、その設定項目を表示画面に表示させないので、表示できる領域が制限されている周辺装置の表示画面において、限られた表示領域を有効に使うことができる。
【００２０】
請求項６に係る周辺装置によれば、請求項１〜５のいずれか１項に記載の周辺装置における効果に加えて、設定値は、入力画像の種類を含むので、動作条件に適した画像を確認することができる。ここでいう画像の種類とは、「テキスト」や「写真」などを指す。
【００２１】
請求項７に係る周辺装置によれば、請求項１〜６のいずれか１項に記載の周辺装置における効果に加えて、結果表示手段は、動作条件選択手段により選択された動作条件に基づいて入力画像を処理した処理結果を表示するので、ユーザーは、選択された動作条件に基づいて入力画像を処理した画像処理結果を予め確認することができ、どの動作条件が最適であるかを容易に判断することができる。
【発明を実施するための最良の形態】
【００２２】
以下、本発明の好ましい実施形態について、添付図を参照して説明する。図１は、本発明の実施形態に係る周辺装置１の外観構成を示すものである。周辺装置１は、下部にプリンタ部２を、上部にスキャナ部３を一体的に備える。周辺装置１は、接続されたＰＣ（図示せず）から画像データを受信し、プリンタ部２により受信した画像データを印刷するプリンタとしての機能と、スキャナ部３により読み取った画像データを、接続されたＰＣに送信するスキャナとしての機能と、スキャナ部３により読み取った画像データを、他のＦＡＸ端末（図示せず）に送信し、逆に、他のＦＡＸ端末から送られてきた画像データを受信してプリンタ部２により印刷するＦＡＸとしての機能と、スキャナ部３により読み取った画像データをプリンタ部２により印刷するコピー装置としての機能とを一体に含んでいる。
【００２３】
これらの機能を実行するに当たって、周辺装置１では、その動作条件を規定するための各種設定項目とその設定値が設定される。例えば、コピーをする場合、用紙サイズ、ブライトネス、コントラスト、拡大縮小率等の設定項目が存在する。さらに、各設定項目に対応して複数の設定値が存在する。例えば、設定項目が用紙サイズの場合、その設定値はＡ４、レター、はがき等になる。ユーザーは各種設定項目の設定値を所望の値に設定して周辺装置1の機能を実行させることができる。
【００２４】
図１における周辺装置１の正面上部には、プリンタ部２やスキャナ部３を操作する操作パネル部４が設けられている。操作パネル部４は、各種操作キー４０（設定手段、動作条件選択手段）や液晶表示部４１（表示画面）から構成されている。周辺装置１は、操作パネル部４からの操作指示に基づいて動作する。液晶表示部４１は、各種メニュー、操作方法を案内するためのメッセージを表示する。さらに本発明では、記憶された動作条件をその設定項目及び設定値とともに複数表示する。
【００２５】
周辺装置１の上部には、自動搬送装置（ＡＤＦ）５が備えられている。ＡＤＦ５は、ここにセットされた複数枚の原稿用紙を順次スキャナ部３に搬送し、スキャナ部３により読み取り終わった原稿を排出する。
【００２６】
周辺装置１の下方中央部には、その底部に複数枚の被記録媒体としての記録用紙を堆積状態で載置する給紙カセット６が配置され、周辺装置１の正面の開口部に対して引き出し動可能に構成されている。
【００２７】
給紙カセット５の上方にて周辺装置１の正面開口部には、排紙トレイ７が配置されている。記録用紙は、給紙カセット６からプリンタ部２へと搬送され、記録が行われた後に排紙トレイ７へ排出される。
【００２８】
図２は、操作パネル部４の構成を示す平面図である。図２に示すように、操作パネル部４は、各種操作キー４０（４０Ａ〜４０Ｇ）と液晶表示部４１とを具備する。図２に示すように、液晶表示部４１は、平面視が横長矩形である。操作キー４０は、液晶表示部４１の周囲に設けられ、操作パネルの右端側に設けられた操作キー４０Ａ〜４０Ｆと、操作パネルの左端側に設けられたテンキー４０Ｇとに大別される。
【００２９】
モードキー４０Ａは、画像形成装置１の有するスキャナ機能、ＦＡＸ機能及びコピー機能を設定することができるモードを切替えるために用いられる。カーソルキー４０Ｂは、液晶表示部４１に表示される表示画面上で指示や操作の対象の位置を移動させるのに用いられる。停止/終了キー４０Ｃは、操作を中止するときや設定を終了するときに用いられる。スタートキー４０Ｄは、スキャン、ＦＡＸ又はコピー等、動作を開始するときに用いられる。スタートキー４０Ｄの一方のキーは、押下するとカラーのスキャン、ＦＡＸ又はコピー等を開始するものであり、他方のキーは、押下するとモノクロのスキャン、ＦＡＸ又はコピー等を開始するものである。動作条件キー４０Ｅは、記憶された動作条件を呼び出すため用いられる。プレビューキー４０Ｆは、選択された動作条件に基づいて入力画像を処理した結果を表示するために用いられる。テンキー４０Ｇは、０から９までの１０個の数字キーと、＊と＃の２つのキーの合計１２個の符号キーにより構成されている。さらに、テンキー４０Ｇは、それぞれの数字にカナ、アルファベット、濁点及び半濁点、記号がそれぞれ割り振られており、テンキー４０Ｇを使って文字を入力することができる。
【００３０】
このように、ユーザーは、各操作キー４０Ａ〜４０Ｇを押下して、所望の設定値の設定や、文字の入力を行うことができる。
【００３１】
また、液晶表示部４１は、各種メニュー、各種表示画面等を表示する。
【００３２】
図３は、本発明の実施形態に係る周辺装置１の制御部２０の構成を示す図である。制御部２０は、プリンタ部２、スキャナ部３及び操作パネル部４を含む周辺装置１の動作を統括的に制御するものである。制御部２０は、図３に示すように、ＣＰＵ（Central   Processing  Unit）２１、ＲＯＭ（Read  Only  Memory）２２、ＲＡＭ（Random  Access  Memory）２３を主とするマイクロコンピュータとして構成されており、バス２６を介してＡＳＩＣ（Application  Specific  Integrated  Circuit）２７に接続されている。さらにＡＳＩＣ２７には、プリンタ部２、スキャナ部３、原稿サイズセンサ２４、記録用紙サイズセンサ２５、操作キー４０に接続されたパネルゲートアレイ（パネルＧＡ）２８、液晶表示部４１に接続されたＬＣＤコントローラ２９、時計３０、ＵＳＢ端子３１、ＭＯＤＥＭ３３に接続されたＮＣＵ（Network  Control  Unit）３２が接続されている。
【００３３】
ＣＰＵ２１は、ＲＯＭ２２に記憶されているプログラムに従って様々な数値計算や情報処理、機器制御などを行う。本発明の特徴的なＣＰＵ２１の機能として、詳しくは後述するが、動作条件を規定する各種設定項目の設定値の設定、記憶された動作条件の表示や検索、設定項目のソート、選択された動作条件に基づいて入力画像の画像処理結果の表示等を行う。
【００３４】
ＲＯＭ２２には、プリンタ機能、スキャナ機能、ＦＡＸ機能、及びコピー機能などをそれぞれ制御する各種制御プログラムや制御プログラムで用いられる定数やテーブルなどが記憶されている。さらに、ＲＯＭ２２の中には、詳細は後述するが、設定プログラム２２Ａ、動作条件実行プログラム２２Ｂ、検索プログラム２２Ｃ、ソートプログラム２２Ｄ、プレビュー表示プログラム２２Ｅが記憶されている。
【００３５】
設定プログラム２２Ａは、周辺装置１の各機能の動作条件を規定する各種設定項目の設定値を設定するためのプログラムである。動作条件実行プログラム２２Ｂは、記憶された複数の動作条件を表示し、ユーザーにより選択された動作条件に基づいて入力画像の処理を行うためのプログラムである。検索プログラム２２Ｃは、所定の設定値を含む動作条件を検索条件として、記憶された複数の動作条件の中から検索条件に適合する動作条件を検索して表示するためのプログラムである。ソートプログラム２２Ｄは、表示された動作条件の各種設定項目の設定値を比較し、全ての設定値が一致しない場合は、その設定値の設定項目を、全ての設定値が一致する設定項目より先に表示するように設定されたプログラムである。プレビュー表示プログラム２２Ｅは、入力画像を処理する前に、選択された動作条件に基づいて画像処理した結果を画面に表示するように設定されたプログラムである。
【００３６】
ＲＡＭ２３は、ランダムにアクセス可能なメモリであり、ＣＰＵ２１が制御プログラムを実行する際に、変数やパラメータなどを一時記憶するワークエリアと、設定項目の設定値により規定された動作条件を複数記憶する動作条件記憶部２３Ａ（動作条件記憶手段）とで構成されている。
【００３７】
また、動作条件記憶部２３Ａは、各種設定項目の設定値によって規定された動作条件を複数記憶する。この複数の動作条件は、プリンタ機能、スキャナ機能、ＦＡＸ機能、及びコピー機能など機能ごとに分類された動作条件テーブルとして記憶されている。図４は、コピーの動作条件テーブル１０を示す図である。図４において、動作条件テーブル１０は、コピーに係る各種設定項目及びその設定値に対応した動作条件１〜４から構成される。コピーに係る各種設定項目としては、用紙サイズ、ブライトネス、コントラスト、カラーアジャスト、用紙種類、画質、拡大／縮小率、等が存在し、それぞれに設定された複数の設定値が存在する。コピーに係る設定項目は前述したものに限られず、また動作条件テーブル１０を構成する動作条件は図４に示すように４つに限られず、複数であればいくつでもよい。
【００３８】
また、動作条件記憶部２３Ａは、通常のコピー設定項目の他に、画像の種類を記憶する。このとき、図４の動作条件テーブル１０に、「入力画像種類」という設定項目と、「テキスト」や「写真」といった設定値が設定される。ユーザーは、動作条件を設定する際に、この入力画像種類の設定値を設定することで、動作条件に適した画像の種類を記憶させておくことができる。こうすれば、ユーザーは、記憶された複数の動作条件の中から最適な動作条件を選択して入力画像を処理しようとする時に、画像の種類に適した動作条件を迅速に選択することができる。
【００３９】
ＡＳＩＣ２７は、ＣＰＵ２１からの指令に従い、プリンタ部２及びスキャナ部３の動作制御を行う。プリンタ部２及びスキャナ部３及については、詳細な説明は省略するが、プリンタ部２を駆動するモータやインクジェット記録ヘッド、スキャナ部３を駆動するモータや画像読取ユニット等の動作が制御部２０により制御される。
【００４０】
ＡＳＩＣ２７には、スキャナ部３に対してセットされた原稿のサイズを検知する原稿サイズセンサ２４が接続されている。原稿サイズセンサ２４は、ＡＤＦ５に備えられており、Ａ４、Ｂ５、レター等、規格化された定型サイズを検知する。原稿サイズセンサ２４によるサイズ検知については周知技術であるので説明は省略する。
【００４１】
ＡＳＩＣ２７には、プリンタ部２に対してセットされた記録用紙のサイズを検知する記録用紙サイズセンサ２５が接続されている。記録用紙サイズセンサ２５は、給紙カセット６に備えられており、原稿サイズセンサと同様に、Ａ４、レター、はがき等、規格化された定型サイズを検知する。記録用紙サイズセンサ２５によるサイズ検知については周知技術であるので説明は省略する。
【００４２】
ＡＳＩＣ２７には、周辺装置１に所望の指令を入力する操作キー４０を制御するパネルＧＡ２８が接続されている。パネルＧＡ２８は、操作キー４０の押下を検出して、所定のキーコードを出力する。このキーコードは、複数の操作キー４０に対応して割り当てられている。ＣＰＵ２１は、パネルＧＡ２８から所定のキーコードを受信すると、所定のキー処理テーブルに従って、実行すべき制御処理を行う。キー処理テーブルは、キーコードと制御処理とを対応させてテーブル化したものであり、例えば、ＲＯＭ２２に記憶されている。
【００４３】
ＡＳＩＣ２７には、液晶表示部４１の画面表示を制御するＬＣＤコントローラ２９が接続されている。ＬＣＤコントローラ２９は、ＣＰＵ２１の指令に基づいて、液晶表示部４１にプリンタ部２又はスキャナ部３の動作に関する情報や、動作条件等を表示させる。
【００４４】
また、ＡＳＩＣ２７には、現在日時をカウントするための時計３０や、コンピュータとＵＳＢケーブルとを介してデータの送受信を行うためのＵＳＢ端子３１が接続されている。さらに、ＡＳＩＣ２７には、ＦＡＸ機能を実現するためのＮＣＵ３２やモデム３３が接続されている。
【００４５】
次に、本発明の実施形態に係る周辺装置１の動作条件の設定について図５〜図９を参照して説明する。図５は、設定プログラム２２Ａに基づいてＣＰＵ２１が行う一連の動作を示すフローチャートである。図６〜９は、各種設定項目の設定値を設定する際の表示画面の一例である。
【００４６】
ユーザーが原稿をＡＤＦ５又はスキャナ部３上面の原稿台に原稿をセットし、周辺装置１の処理を開始する時、まず、ユーザーは、モードキー４０Ａを押下して、周辺装置１の機能を選択する。ここでは、コピー機能が選択されたものとする。すると、コピーの設定画面に移行する。
【００４７】
図５にて、まずＣＰＵ２１は、ユーザーに設定画面の表示形式を選択させる（Ｓ１）。本実施形態では、対話式と任意式の表示方法が選択できる。対話式とは、動作条件に含まれる全ての設定項目と設定値が順次表示されていき、その表示に従って、設定値を設定していく形式である。一方、任意式とは、各設定項目が階層的に表示されており、その中から設定値を変更したい設定項目を選択し、設定値を設定する形式である。例えば、用紙設定という階層メニューの中には、用紙サイズ、用紙種類といった設定項目が含まれており、ユーザーが、用紙サイズを設定する場合には、用紙設定を選択した後、用紙サイズを選択し、さらに用紙サイズの設定値を設定するといった表示形式をとる。なお、各設定項目の設定値は、予めデフォルトとしての設定値が設定されており、ユーザーはデフォルト値でよい場合は、設定値を変更せずにそのまま確定し、設定値を変更したいときのみ設定値を設定すればよい。
【００４８】
ここで対話式が選択されたと判断した場合（Ｓ１、対話式）、ＣＰＵ２１は、ＬＣＤコントローラ２９を駆動して、液晶表示部４１に図６のような表示画面を表示させる（Ｓ７）。
【００４９】
図６は、設定項目の設定値を設定する際の表示画面である。液晶表示部４１は、設定値設定領域４２及び設定履歴表示領域４３という２つの表示領域を表示する。設定値設定領域４２は、設定項目及び設定項目に対応する複数の設定値を表示する。図６では、設定項目として用紙サイズが表示されており、その設定値としてＡ４、レター、Ｂ５が表示されている。また、カーソル４４は、現在選択されている項目を反転表示で示す。図６では、設定値のうちのＡ４が選択されている。設定値設定領域４２に表示される設定項目が１画面に収まらない場合は、スクロールバー４５が表示され、カーソルキー４０Ｂを上下に操作して、次の設定値を表示させることができる。一方、設定履歴表示領域４３には、設定済みの設定項目及びその設定値が表示される。また、時計３０にて取得された現在日時４８も同時に表示される。
【００５０】
続いて、図５において、ＣＰＵ２１は、設定値設定領域４２にて設定値が設定されたか否かを判断する（Ｓ８）。用紙サイズをＡ４にしたい場合、ユーザーは、カーソルキー４０Ｂを上下に操作して、カーソル４４を移動させ、設定値設定領域４２に表示されている複数の設定値の中からＡ４を選択する。ＣＰＵ２１は、設定値が選択されたと判断すると（Ｓ８、ＹＥＳ）、用紙サイズがＡ４に設定されたことを基に動作条件記憶テーブル１０（図４）を作成し、動作条件記憶部２３Ａに記憶する。続いて、ＣＰＵ２１は、ＬＣＤコントローラ２９を駆動して、図７のように設定履歴領域４２に設定項目４６として用紙サイズが、設定値４７としてＡ４が選択されたことを表示させる（Ｓ９）。
【００５１】
このように、一方に設定項目の設定画面を表示し、他方に設定済みの設定項目及び設定値を履歴として表示するので、設定済みの設定値を参照しながら、未設定の設定項目の設定値を設定することができる。
【００５２】
一方、設定値が設定されない場合（Ｓ８、ＮＯ）、設定値が設定されるまでＳ８の判断を繰り返す。
【００５３】
次に、ＣＰＵ２１は、未設定の設定項目はまだあるかを判断する（Ｓ１０）。未設定の設定項目がまだあると判断した場合は（Ｓ１０、ＹＥＳ）、ＣＰＵ２１は設定値の設定を繰り返し、図８に示すように、次に設定された設定項目である用紙種類及びその設定値を設定値設定領域４２に表示させ（Ｓ８）、設定値の設定操作を繰り返す。図８の設定履歴表示領域４３では、次に用紙種類として普通紙が設定されたことを表示している。
【００５４】
このように、設定値を繰り返し設定していくと、図９のように設定履歴表示領域４３には、設定された設定項目とその設定値の一覧が表示される。この時、カーソルキー４０Ｂを左右に操作することによって、カーソル４４を設定値設定領域４２から設定履歴表示領域４３まで移動させ、続いて一覧の中から１つの設定項目を選択すると、カーソル４４の位置する設定項目が、その設定値とともに設定値設定領域４２に表示され、設定値設定領域４２においてその設定値が変更できるようになっている。
【００５５】
一方、図５において未設定の設定項目がないと判断した場合は（Ｓ１０、ＮＯ）、ＣＰＵ２１は、設定項目の選択画面を終了し、日付ラベルを入力をするか否かを判断する（Ｓ１１）。
【００５６】
また、設定項目の選択画面として任意式が選択された場合（Ｓ１、任意式）、ＣＰＵ２１は、ＬＣＤコントローラ２９を駆動して、液晶表示部４１の設定値設定領域４２に設定項目の階層のメニューを表示し、設定履歴表示領域４３に設定済みの設定項目及びその設定値を履歴として表示させる（Ｓ２）。
【００５７】
次に、ＣＰＵ２１は、設定項目が選択されたか否かを判断する（Ｓ３）。ユーザーからの操作がなく、設定項目が選択されないと判断した場合は（Ｓ３、ＮＯ）、ＣＰＵ２１はＳ３の判断を繰り返す。一方、ユーザーが、操作キー４０を操作して設定値設定領域４２に表示された設定項目の階層メニューの中から、設定したい設定項目を選択すると、ＣＰＵ２１は、設定項目が選択されたと判断し（Ｓ３、ＹＥＳ）、その設定値が設定されたか否かを判断する（Ｓ４）。
【００５８】
次に、ＣＰＵ２１は、設定値が設定されたと判断すると（Ｓ４、ＹＥＳ）、設定された設定項目及び設定値を基に動作条件テーブル１０を作成し、動作条件記憶部２３Ａに記憶する。続いて、ＣＰＵ２１は、ＬＣＤコントローラ２９を駆動して、液晶表示部４１の設定履歴表示領域４３に設定された選択項目と設定値を表示する（Ｓ５）。一方、設定値が設定されないと判断した場合（Ｓ４、ＮＯ）、ＣＰＵ２１は、Ｓ４の判断を繰り返す。
【００５９】
次に、ＣＰＵ２１は、未設定の設定項目はまだあるかを判断する（Ｓ６）。ユーザーが、再び操作キー４０を操作して設定値設定領域４２に表示された設定項目の階層メニューの中から、設定したい設定項目を選択すると、設定項目がまだあると判断し（Ｓ６、ＹＥＳ）、ＣＰＵ２１は、Ｓ３の処理まで戻り、設定値の設定動作を繰り返す。一方、ユーザーからの操作がなく、未設定の設定項目がないと判断した場合は（Ｓ６、ＮＯ）、ＣＰＵ２１は、日付ラベルの入力をするか否かを判断する（Ｓ１１）。
【００６０】
日付ラベル入力をすると判断した場合（Ｓ１１、ＹＥＳ）、ＣＰＵ２１は、時計３０から現在日時４８を取得し、動作条件テーブル１０に追加し、日付ラベルを設定する（Ｓ１２）。この日付ラベルは、動作条件の識別をするためのラベルであり、動作条件を日付順に並び換える際にも用いられる。一方、日付ラベルを入力しないと判断した場合（Ｓ１１、ＮＯ）、ＣＰＵ２１は、ユーザーの氏名等、動作条件を識別するために必要な文字や記号等の任意のラベルをユーザーに入力させる（Ｓ１３）。このように、日付ラベル又は任意のラベルが入力されると、ＣＰＵ２１は、動作条件テーブル１０に日付ラベル又は任意のラベルを追加し、設定プログラム２２Ａを終了する。
【００６１】
続いて、ユーザーの操作キー４０の操作による動作指示に従って、コピー等を行う。例えば、ユーザーがスタートキー４０Ｄを押下すると、上記の設定動作で設定した設定値に基づく動作条件でコピーを開始する。一方、停止／終了キー４０Ｃが押下されると、印刷動作をせずにコピーモードを終了する。
【００６２】
次に、動作条件テーブル１０に記憶された動作条件に基づいて画像処理を行う場合の動作について図１０、１１、１８、１９を参照して説明する。図１０は、動作条件実行プログラム２２Ｂに基づいてＣＰＵ２１が行う一連の動作を示すフローチャートである。図１１は、動作条件の表示画面である。図１８は、動作条件を選択する時の表示画面である。図１９は、選択した動作条件に基づいて動作を指定する際の表示画面である。
【００６３】
ユーザーが原稿をＡＤＦ５又はスキャナ部３上面の原稿台に原稿をセットし、動作条件テーブル１０に含まれた動作条件に基づいて周辺装置１の処理を開始する時、まず、ユーザーは、モードキー４０Ａを押下して、周辺装置１の機能を選択する。ここでは、コピー機能が選択されたものとする。続いて、図１０において、ＣＰＵ２１は、動作条件キー４０Ｅが押下されたか否かを判断する（Ｓ２１）。ＣＰＵ２１は、動作条件キー４０Ｅが押下されたと判断した場合（Ｓ２１、ＹＥＳ）、図１１に示すように、動作条件テーブル１０からコピーの動作条件１及び２を読み出して、液晶表示部４１に表示させる（Ｓ２２）。Ｓ２２は、本発明の請求項１に記載された表示制御手段に相当する。
【００６４】
図１１において、液晶表示部４１は、動作条件テーブル１０に含まれた動作条件１及び２を動作条件表示領域５１、５２に表示する。動作条件表示領域５１、５２には、動作条件の日付ラベル、設定項目及び設定値がそれぞれ一覧表示される。その一覧が１画面に表示できない時はスクロールバーが表示され、カーソルキー４０Ｂを上下に操作することによって、表示されていない次の設定項目及び設定値を確認することができる。また、それとは別に、動作条件表示領域５１、５２には、それぞれスクロールボタン５４が表示される。これらのスクロールボタン５４は、２以上の動作条件が動作条件記憶テーブル１０に含まれる場合に、表示されていない他の動作条件を表示するために使用される。
【００６５】
このように、本発明は、複数の動作条件を同時に表示するので、各動作条件の設定値を容易に比較することができ、記憶された複数の動作条件の中からユーザーが所望する動作条件を迅速に見つけることができる。また、図１１で示した表示形態に限られず、図１４に示すように２以上の動作条件表示領域を設けてもよいし、一度に表示できる動作条件表示領域の数をユーザーが設定することができるようにしてもよい。このように動作条件表示領域の数をユーザーに設定させることで、ユーザーの好みに応じて動作条件の比較を行うことができる。
【００６６】
また、図１１において、液晶表示部４１には、動作条件表示領域５１、５２以外に同設定ソート状態５５及び検索バー５６が表示されている。同設定ソート状態５５は、表示されている複数の動作条件の中で、設定値が一致する設定項目がある場合は、その設定項目を下位に並び替える機能（同設定ソート）がＯＮかＯＦＦかを表示する。検索バー５６は、動作条件を検索するためのキーワードを入力するための領域である。
【００６７】
また、液晶表示部４１にはカーソル５３が設定され、選択されている項目を反転表示する。ユーザーは、カーソルキー４０Ｂを操作することによって、カーソル５３を移動させ、所望の項目を選択することができる。図１１では、検索バー５６が選択されている状態である。
【００６８】
図１０において、次にＣＰＵ２１は、動作条件の検索するか否かを判断する（Ｓ２３）。ユーザーが検索バー５６にカーソル５３を移動させ、検索バーを選択した場合、ＣＰＵ２１は、検索をすると判断し（Ｓ２３、ＹＥＳ）、検索サブルーチンに移行する（Ｓ２４）。検索サブルーチンについては、後に詳述する。一方、検索しないと判断した場合（Ｓ２３、ＮＯ）又は検索サブルーチンを終了した場合、ＣＰＵ２１は、同設定ソート状態５６がＯＮであるか否かを判断する（Ｓ２５）。
【００６９】
ユーザーが同設定ソート状態５６にカーソル５３を移動しＯＮにした場合、ＣＰＵ２１は、同設定ソートをすると判断し（Ｓ２５、ＹＥＳ）、同設定ソートサブルーチンに移行する（Ｓ２６）。同設定サブルーチンについては、後に詳述する。一方、同設定ソートがＯＦＦのままの場合（Ｓ２５、ＮＯ）又は同設定ソートサブルーチンを終了した場合、ＣＰＵ２１は、例えば、図１８に示すような動作条件の選択画面を液晶表示部４１に表示させ、動作条件が選択されたか否かを判断する（Ｓ２７）。
【００７０】
図１８に示すように、ユーザーが動作条件表示領域のうちの１つにカーソル５３を移動させ、動作条件を選択した場合、ＣＰＵ２１は、動作条件が選択されたと判断し（Ｓ２７、ＹＥＳ）、図１９に示すような選択動作条件表示領域５８及び動作指示領域５９を表示し、
プレビュー表示がされるか否かを判断する（Ｓ２８）。一方、動作条件が選択されない場合（Ｓ２７、ＮＯ）、Ｓ２７の処理を繰り返す。
【００７１】
図１９において、液晶表示部４１は、選択した動作条件を表示する選択動作条件表示領域５８及びその選択した動作条件に基づいて動作を指示するための動作指示表示領域５９を表示する。選択動作条件表示領域５８には、選択した動作条件の設定項目及びその設定値が一覧表示される。また、動作指示表示領域５９には、動作指示としてプレビュー表示、カラーコピー、モノクロコピー、コピー中止を指示するための選択項目が表示される。
【００７２】
次に、図１９の動作指示表示領域５９において、ユーザーがプレビューキー４０Ｆを選択した場合、ＣＰＵ２１は、選択された動作条件に基づいて入力画像を処理してプレビューを表示すると判断し（Ｓ２８、ＹＥＳ）、プレビュー表示サブルーチンに移行する（Ｓ２９）。プレビュー表示サブルーチンについては、後に詳述する。一方、プレビュー表示をしないと判断した場合（Ｓ２８、ＮＯ）又はプレビュー表示サブルーチンを終了した場合、ＣＰＵ２１は、図１９の表示画面の動作指示表示領域５９において、コピー動作指示があるか否かを判断する（Ｓ３０）。
【００７３】
図１９の動作指示表示領域５９において、ユーザーが、カラーコピー又はモノコピーを開始するためスタートキー４０Ｄを押下した場合、ＣＰＵ２１はコピー動作指示があると判断し（Ｓ３０、ＹＥＳ）、コピー動作を行った後（Ｓ３１）、動作条件実行プログラム２２Ｂを終了する。一方、図１９の動作指示表示領域５９において、ユーザーが停止キー４０Ｃを押下した場合、ＣＰＵ２１は動作指示がないと判断し（Ｓ３０、ＮＯ）、動作条件実行プログラム２２Ｂを終了する。
【００７４】
次に、検索サブルーチンＳ２４について、図１２〜１４を参照して説明する。図１２は、検索プログラム２２Ｃに基づいてＣＰＵ２１が行う一連の動作を示すフローチャートである。図１３及び１４は、検索結果を表示する表示画面の一例である。
【００７５】
図１０において、ＣＰＵ２１は設定項目の検索をすると判断した場合（Ｓ２３、ＹＥＳ）、ＣＰＵ２１は、検索モードを選択する（Ｓ４１）。続いて、ＣＰＵ２１は、検索バー５６に検索キーワードが入力されたか否かを判断する（Ｓ４２）。ユーザーからの操作がなく、ＣＰＵ２１はキーワードが入力されないと判断した場合（Ｓ４２、ＮＯ）、Ｓ４２の判断を繰り返す。一方、ユーザーがテンキー４０Ｇを操作して検索バー５６にキーワードを入力した場合、ＣＰＵ２１は検索キーワードが入力されたと判断し（Ｓ４２、ＹＥＳ）、動作条件テーブル１０に含まれた動作条件のうちの１つから検索キーワードとして入力された設定項目及び設定値を読み出す（Ｓ４３）。ここで、検索キーワードとしては、設定項目及び設定値を入力することが望ましい。また、検索キーワードを入力する方法については、テンキー４０Ｇ操作による方法に限られず、設定項目及び設定値を選択肢として選択させてもよい。また、検索キーワードは１つに限られず、複数入力することができる。
【００７６】
次に、ＣＰＵ２１は、動作条件テーブル１０から読み出された設定項目及び設定値とキーワードとを比較し（Ｓ４４）、一致するか否かを判断する（Ｓ４５）。設定項目及び設定値とキーワードとが一致する場合（Ｓ４５、ＹＥＳ）、ＣＰＵ２１はその動作条件をＲＡＭ２３に記憶する（Ｓ４６）。一方、設定項目及び設定値とキーワードとが一致しない場合（Ｓ４５、ＮＯ）、又は動作条件を記憶した後（Ｓ４６）、ＣＰＵ２１は、キーワードと設定値が比較されていない動作条件はまだあるかを判断する（Ｓ４７）。Ｓ４３〜Ｓ４７の処理は、本発明の請求項２に記載された検索手段として機能する。
【００７７】
比較されていない動作条件がまだあると判断した場合（Ｓ４７、ＹＥＳ）、ＣＰＵ２１は、動作条件記憶テーブル１０から設定項目及び設定値を読み出す処理を繰り返す（Ｓ４３）。一方、比較されていない動作条件がないと判断された場合（Ｓ４７、ＮＯ）、ＣＰＵ２１はキーワードと一致した動作条件を液晶表示部４１に表示する（Ｓ４８）。Ｓ４７の処理は、本発明の請求項２に記載された表示制御手段として機能する。
【００７８】
次に、ＣＰＵ２１は、キーワードと一致した動作条件を表示するスペースがあるかを判断する（Ｓ４９）。これは、動作条件を表示することができる数と現在表示されている動作条件の数を比較すればよい。表示スペースがまだあると判断された場合（Ｓ４９、ＹＥＳ）、ＣＰＵ２１は、さらに動作条件を表示する。一方、表示スペースがないと判断された場合（Ｓ４９、ＮＯ）、検索プログラム２２Ｃを終了して、図１０の動作条件実行プログラム２２Ｂに戻る。
【００７９】
このようにして、検索サブルーチンを終了すると、液晶表示部には図１３又は１４に示すような検索結果が表示される。図１３及び１４は、それぞれ検索キーワードとして「用紙種類：普通紙」が入力された場合の検索結果を表示した表示画面の一例である。図１３では、動作条件表示領域５１、５２に、用紙種類として普通紙が設定されている動作条件を表示している。また図１４では、検索キーワードと一致する動作条件を３つ以上同時に表示している。このように、検索キーワードと一致する動作条件は複数表示されればよい。また、図１３及び１４の動作条件表示領域に表示される設定項目及び設定値は、検索キーワードと一致した設定項目及び設定値が最上位に表示される。図１３及び１４では、用紙種類及び普通紙が最上位に表示されている。また、検索キーワードと一致しているが表示されていない動作条件については、カーソルボタン５４を選択することで表示させることができる。
【００８０】
また、本発明の周辺装置１は、原稿サイズセンサ２４及び記録用紙サイズセンサ２５を備えており、セットされた原稿及び記録用紙のサイズを検知することができる。検索サブルーチンＳ２４において、検索キーワードを入力する際に（Ｓ４２）、ＣＰＵ２１は、記録用紙サイズセンサ２５で検知した記録用紙のサイズを用紙種類の設定値として検索バー５６に自動的に入力してもよい。また、原稿サイズセンサ２４及び記録用紙サイズセンサ２５によって検知されたサイズに基づいて、ＣＰＵ２１は、拡大／縮小率を算出し、その算出結果を拡大／縮小の設定値として検索バー５６に自動的に入力してもよい。また、原稿サイズ検知に関して、スキャナ部３の上部に備えられた原稿台に原稿がセットされた時は、プレスキャンを行うなどして原稿サイズを検知してもよい。
【００８１】
このように、本発明は、ユーザーが所望する設定値を含む動作条件を検索することができるので、表示画面に表示される動作条件を、ユーザーの所望の設定値を含むものだけに予め限定することができる。従って、ユーザーが動作条件を選ぶのに要する時間と手間を省くことができる。また、表示できる領域が制限されている周辺装置の表示画面では、限られた表示領域を有効に使うことができ、特に効果的である。また、検索する設定値を自動的に設定すれば、ユーザーは検索キーワードを入力する手間が省けるとともに、検索キーワードを正確に入力することができるため、より効率よく所望の動作条件を検索することができる。
【００８２】
次に、同設定ソートサブルーチンＳ２６について、図１５及び１６を参照して説明する。図１５は、ソートプログラム２２Ｄに基づいて、ＣＰＵ２１が行う一連の動作を示すフローチャートである。図１６は、ソート結果を示す表示画面である。
【００８３】
図１０において、同設定ソート状態がＯＮである場合（Ｓ２５、ＹＥＳ）、ＣＰＵ２１は、同設定ソートモードを選択する（図１５、Ｓ５１）。続いて、ＣＰＵ２１は、液晶表示部４１に表示されている動作条件の設定項目のうち、１つを選択する（Ｓ５２）。続いて、選択された設定項目の設定値を表示された動作条件から全て読み出す（Ｓ５３）。次に、ＣＰＵ２１は、読み出された設定値の比較を行い（Ｓ５４）、設定値の全てが一致するか否かを判断する（Ｓ５５）。
【００８４】
設定値が全て一致すると判断した場合（Ｓ５５、ＹＥＳ）、ＣＰＵ２１はその設定値を持つ設定項目をその設定値とともにＲＡＭ２３に記憶させる（Ｓ５６）。一方、設定値の全てが一致しないと判断した場合（Ｓ５５、ＮＯ）、ＣＰＵ２１は、表示されている設定項目のうち、設定値が比較されていない設定項目がまだあるかを判断する（Ｓ５７）。Ｓ５２〜５７の処理は、本発明の請求項４に記載された比較手段として機能する。
【００８５】
設定項目がまだある場合（Ｓ５７、ＹＥＳ）、ＣＰＵ２１は、設定値が比較されていない設定項目を選択する処理を繰り返す（Ｓ５２）。一方、設定値が比較されていない設定項目がない場合（Ｓ５７、ＮＯ）、ＲＡＭ２３に記憶された設定項目をその設定値とともに表示画面の最下位へ表示する（Ｓ５８）。Ｓ５８の処理は、本発明の請求項４に記載された表示制御手段として機能する。このとき、設定値が全て一致した設定項目を動作条件表示領域から消去し、表示されていなかった設定項目があれば繰り上げて表示してもよい。これは、本発明の請求項５に記載された表示制御手段に相当する。
【００８６】
次に、ＣＰＵ２１は、表示スペースがまだあるかを判断する（Ｓ５９）。表示スペースがまだあると判断されると、ＣＰＵ２１は、ＲＡＭ２３に記憶された設定項目をその設定値とともに最下位へ表示する。一方、表示スペースがないと判断されると、ＣＰＵ２１は、ソートプログラム２２Ｄを終了し、図１０の動作条件実行プログラム２２Ｂに戻る。
【００８７】
このようにして、同設定ソートサブルーチンを終了すると、液晶表示部４１には、図１６に示すようなソート結果が表示される。図１６において、表示されている動作条件の中で、「カラーアジャストＲ」、「カラーアジャストＢ」、「用紙種類」の設定値が全て一致しているので、それらの設定項目は表示画面の同設定値表示領域５７に表示されることになる。また、全ての設定値が一致しているが表示されていない設定項目については、スクロールバー４５を選択すると、カーソルキー４０Ｂの上下操作で表示させることができる。本実施形態では、各動作条件の設定値が異なる設定項目が用紙サイズ、ブライトネス、カラーアジャストＧ、入力画像種類の５つのみであったため、一画面で同設定値表示領域５７が表示されているが、異なる設定値をもつ設定項目が多い場合は、一画面に表示することができないので、スクロールバー４５を用いて表示させることになる。また、設定項目が１画面に収まらない場合、設定値が一致する項目を動作条件表示領域から消去し、表示されていない設定項目を繰り上げて表示するようにしてもよい。
【００８８】
このように、本発明は設定値が一致する設定項目を表示画面の同設定値表示領域５７に移動するので、ユーザーは設定値が異なる設定項目だけを優先的に比較することができる。従って、ユーザーが動作条件を選ぶのに要する時間と手間を省くことができる。また、一致する設定値を持つ設定項目を動作条件表示領域から消去することで、限られた表示領域を有効に使うことができる。
【００８９】
次に、プレビュー表示サブルーチンＳ２９について、図１７、２０を参照して説明する。図１７は、プレビュー表示プログラム２２Ｆに基づいて、ＣＰＵ２１が行う一連の動作を示すフローチャートである。図２０は、プレビュー表示結果を表示する表示画面である。
【００９０】
図１０において、ＣＰＵ２１は、プレビュー表示をすると判断した場合（Ｓ２８、ＹＥＳ）、プレビュー表示モードを選択する（図１６、Ｓ７１）。次に、ＣＰＵ２１は、図２０に示すように、液晶表示部４１に選択された動作条件を表示する選択動作条件表示領域５８とプレビューを表示するためのプレビュー領域６０を作成する（Ｓ７２）。ここで、プレビュー表示領域６０とは、コピー動作をする前に入力画像をプレスキャンし、選択した動作条件に基づいた画像処理し、その結果を印刷前に表示する領域である。
【００９１】
続いて、ＣＰＵ２１は、スキャナ部３を駆動して、原稿のプレスキャンを行う（Ｓ７３）。この場合、ＡＤＦ５に複数の原稿がセットされていても一枚だけ読み取るようにしたり、原稿１枚分ではなく一部分のみを読み取るようにしたりしてもよい。
【００９２】
次に、ＣＰＵ２１は、選択された動作条件の設定値を読み出し、その設定値に基づいて読み取られた画像データの画像処理を行う（Ｓ７４）。ここで行われる画像処理とは、カラーアジャストＲ，Ｇ，Ｂの設定値に基づいた色調整や、レイアウトの設定値に基づいたレイアウト処理等を指し、各設定項目の設定値それぞれについて画像処理を行う。次に、ＣＰＵ２１は、図２０に示すように、画処理後の画像をプレビュー領域６０に表示する（Ｓ７５）。Ｓ７５の処理は、本発明の請求項７に記載された結果表示手段として機能する。このプレビュー領域６０は、図２０のような表示形態に限られず、プレビュー領域６０が選択動作条件表示領域５８よりも大きく表示されるようにしてもよい。
【００９３】
このように、本発明は、選択した動作条件に基づいてこれから処理する画像の画像処理結果を印刷プレビュー等で確認することができる。従って、これから処理する画像に対して、どの動作条件が最適であるかを容易に判断することができる。
【００９４】
以上実施形態に基づき本発明を説明したが、本発明は上記実施形態に何ら限定されるものでなく、本発明の趣旨を逸脱しない範囲内で種々の改良変形が可能であることは容易に推察できるものである。例えば、本実施形態ではコピーの動作条件についての説明を行ったが、周辺装置１が備える他の機能（プリンタ、ＦＡＸ、スキャナ）の動作条件についても同様に構成する。
【図面の簡単な説明】
【００９５】
【図１】本発明の周辺装置１の外観構成を示す斜視図である。
【図２】操作パネル４の構成を示す平面図である。
【図３】本発明の実施形態に係る周辺装置１の制御部２０の構成を示す図である。
【図４】動作条件テーブル１０を示す図である。
【図５】本発明の設定プログラム２２Ａを示すフローチャートである。
【図６】各設定項目の設定値を設定する場合の表示画面の一例である。
【図７】各設定項目の設定値を設定する場合の表示画面の一例である。
【図８】各設定項目の設定値を設定する場合の表示画面の一例である。
【図９】各設定項目の設定値を設定する場合の表示画面の一例である。
【図１０】本発明の動作条件実行プログラム２２Ｂを示すフローチャートである。
【図１１】動作条件を表示する表示画面である。
【図１２】本発明の検索プログラム２２Ｃを示すフローチャートである。
【図１３】検索結果を表示する表示画面の一例である。
【図１４】検索結果を表示する表示画面の一例である。
【図１５】本発明のソートプログラム２２Ｄを示すフローチャートである。
【図１６】ソート結果を表示する表示画面である。
【図１７】本発明のプレビュー表示プログラム２２Ｆを示すフローチャートである。
【図１８】動作条件の選択画面を表示する表示画面である。
【図１９】選択した動作条件に基づく動作を指示するための表示画面である。
【図２０】プレビュー表示結果を表示する表示画面である。
【符号の説明】
【００９６】
１      周辺装置
４      操作パネル部
１０    動作条件テーブル
２１    ＣＰＵ
２２    ＲＯＭ
２２Ａ  設定プログラム
２２Ｂ  動作条件実行プログラム
２２Ｃ  検索プログラム
２２Ｄ  ソートプログラム
２２Ｅ  プレビュー表示プログラム
２３    ＲＡＭ
２３Ａ  動作条件記憶部
４１    液晶表示部
【図１】
2008252523.tif 000003
【図２】
2008252523.tif 000004
【図３】
2008252523.tif 000005
【図４】
2008252523.tif 000006
【図５】
2008252523.tif 000007
【図６】
2008252523.tif 000008
【図７】
2008252523.tif 000009
【図８】
2008252523.tif 000010
【図９】
2008252523.tif 000011
【図１０】
2008252523.tif 000012
【図１１】
2008252523.tif 000013
【図１２】
2008252523.tif 000014
【図１３】
2008252523.tif 000015
【図１４】
2008252523.tif 000016
【図１５】
2008252523.tif 000017
【図１６】
2008252523.tif 000018
【図１７】
2008252523.tif 000019
【図１８】
2008252523.tif 000020
【図１９】
2008252523.tif 000021
【図２０】
2008252523.tif 000022